(57)【特許請求の範囲】
【請求項１】
熱交換器であって、
前記熱交換器は、ケーシングと、放熱コアと、外側循環ファンモジュールと、カバープレートとを含み、
前記ケーシングにより、収容空間が囲まれて形成され、
前記収容空間の底部側に取付口が設けられ、
前記収容空間の側面に外側出口が設けられ、
前記放熱コアは、前記収容空間内に取り付けられて前記取付口の上方に位置し、
前記外側循環ファンモジュールは、前記取付口から前記収容空間に装入され、前記外側出口と前記取付口との間に位置し、
前記カバープレートは、複数の開孔を有し、前記取付口に被せられるとともに前記ケーシングに結合されるように配置され、
外気は、複数の前記開孔から前記収容空間に流入した後、前記放熱コアを通過して前記放熱コアと熱交換が行われ、前記外側出口から流出し、
前記外側循環ファンモジュールは、軸流ファン及びファンフレームを含み、前記ファンフレームにより前記ケーシング内に固定され、
前記カバープレートは、前記ファンフレームに固定されることで前記ケーシングに結合されることを特徴とする熱交換器。
【請求項２】
前記ケーシングは、内部に面する内側部と、外部に面する外側部とを有し、
前記ケーシングの前記内側部には、内側入口及び内側出口が設けられ、
前記ケーシングの前記外側部には、前記外側出口及び前記取付口が設けられることを特徴とする請求項１に記載の熱交換器。
【請求項３】
内側循環ファンモジュールをさらに含み、
前記内側循環ファンモジュールは、前記ケーシング内に設置されるとともに、前記外側循環ファンモジュールに対応して前記収容空間の頂部に位置することを特徴とする請求項２に記載の熱交換器。
【請求項４】
前記ファンフレームは、少なくとも１つの翼板を有し、
前記翼板は、前記カバープレートに向かう方向に、前記ファンフレームから垂直に延在して形成され、
前記翼板には、ロック孔が設けられることを特徴とする請求項１に記載の熱交換器。
【請求項５】
前記カバープレートは、少なくとも１つの固定片を有し、
前記固定片は、前記ファンフレームに向かう方向に、前記カバープレートから垂直に延在して設けられ、
前記固定片には、貫通孔が設けられることを特徴とする請求項４に記載の熱交換器。
【請求項６】
前記貫通孔に挿入されて前記翼板の前記ロック孔に固定されるロック部材をさらに少なくとも１つ含むことを特徴とする請求項５に記載の熱交換器。
【請求項７】
前記翼板と前記固定片との間に挟持されるガスケットをさらに含むことを特徴とする請求項６に記載の熱交換器。
【請求項８】
前記開孔は、前記貫通孔に対応してスクリュードライバーが挿通可能であることを特徴とする請求項６に記載の熱交換器。
【請求項９】
前記翼板及び前記固定片は、Ｌ字状であるとともに互いに固定されることを特徴とする請求項５に記載の熱交換器。
【請求項１０】
キャビネットであって、
側壁に開口が設けられるキャビネット体と、
前記開口に取り付けられる熱交換器と、を含み、
前記熱交換器は、ケーシングと、放熱コアと、外側循環ファンモジュールと、カバープレートとを含み、
前記ケーシングにより、収容空間が囲まれて形成され、
前記ケーシングは、内部に面する内側部、外部に面する外側部、前記外側部に設置される外側出口及び取付口を有し、
前記放熱コアは、前記収容空間内に取り付けられて前記取付口の上方及び前記外側出口の近傍に位置し、
前記外側循環ファンモジュールは、前記取付口から前記収容空間に装入され、前記外側出口と前記取付口との間に位置し、
前記カバープレートは、複数の開孔を有し、前記取付口に被せられるとともに前記ケーシングに結合されるように配置され、
外気は、複数の前記開孔から前記収容空間に流入した後、前記放熱コアを通過して前記放熱コアと熱交換が行われ、前記外側出口から流出することを特徴とするキャビネット。
【請求項１１】
熱交換器の組立方法であって、
収容空間を囲んで形成し、内部に面する内側部、外部に面する外側部、前記外側部に設置される外側出口及び取付口を有するケーシングを提供するステップ（１）と、
放熱コアを前記収容空間内に取り付けるとともに前記取付口の上方及び前記外側出口の近傍に配置させるステップ（２）と、
前記取付口から外側循環ファンモジュールを前記収容空間内に装入し、前記外側出口と前記取付口との間に位置させるステップ（３）と、
カバープレートをケーシングに結合することで前記取付口に被せるステップ（４）と、
を含むことを特徴とする熱交換器の組立方法。
【請求項１２】
前記外側循環ファンモジュールを前記取付口から斜めに取り付けるステップ（３−１）をさらに含み、
前記外側循環ファンモジュールは、ファンフレームを有することを特徴とする請求項１１に記載の熱交換器の組立方法。
【請求項１３】
前記外側循環ファンモジュールを斜めに取り付けてから水平になるように回転させ、ケーシング内において前記ファンフレームを前記放熱コアの下方に固定させるステップ（３−２）をさらに含むことを特徴とする請求項１２に記載の熱交換器の組立方法。
【請求項１４】
一端が開孔から収容空間に突出させ、前記カバープレートを前記ケーシングに固定させる工具を提供するステップ（５）をさらに含むことを特徴とする請求項１３に記載の熱交換器の組立方法。
【請求項１５】
前記ステップ（４）では、
前記カバープレートは、前記ファンフレームに対応して複数の開孔及び少なくとも１つの固定片を有し、
前記固定片は、貫通孔を有し、ファンフレームに向かう方向に、カバープレートから垂直に延在して設けられ、
前記固定片の断面はＬ字状であり、
前記貫通孔は、平面に位置することを特徴とする請求項１３に記載の熱交換器の組立方法。
【請求項１６】
ロック部材を前記貫通孔に貫通させてガスケットに結合することを特徴とする請求項１５に記載の熱交換器の組立方法。
【発明の詳細な説明】
【技術分野】
【０００１】
本発明は、キャビネットに関し、特に熱交換器及びその組立方法に関する。
【背景技術】
【０００２】
コンピュータ技術及びインターネットの高速発展に伴って、コンピュータ、サーバ、記憶装置及びネット通信設備などの装置の演算処理能力やパワーを向上させるために、これらの装置の数が段々増えることになる。特に、データセンターにおいて、通常、上記の装置は、キャビネットの内部に設置されて長時間に亘って継続的に動作する。しかしながら、キャビネット内におけるサーバなどの装置が過熱することで効率の低下や故障の発生などの問題を回避するため、ラジエータなどの放熱装置を用いて、サーバルーム内の環境温度の調節及び降温を維持するようにしなければならない。
【０００３】
現在、情報通信業のキャビネットに用いる熱交換器には、外側循環ファンモジュールが設置されていることが多い。外側循環ファンモジュールは、外部から冷却空気を吹き付けて、熱交換器を冷却させるためのものである。
【発明の概要】
【発明が解決しようとする課題】
【０００４】
通常、外側循環ファンモジュールがキャビネットの内部に面する熱交換器の内側開口から取り付けられる。しかしながら、熱交換器に水が発生する可能性があるため、熱交換器の内側への水漏れが多くて、キャビネットの設備を傷めてしまう。
【０００５】
以上に鑑みて、本発明の発明者は、研究と理論の使用とによって、設計が合理的であり、有効に上記の欠点を改善、解決することができる本発明を得た。
【０００６】
従って、本発明の１つの目的は、熱交換器の内側と外側を完全に隔離することができ、内側への水漏れを抑制可能なキャビネット及びその熱交換器を提供することである。
【０００７】
本発明のもう１つの目的は、外側循環ファンモジュールの組立部材及び構造を簡素化して、組立て易さを高めることが可能な熱交換器の組立方法を提供することである。
【課題を解決するための手段】
【０００８】
上記の目的を達成するために、本発明の一実施形態に係る熱交換器は、ケーシングと、放熱コアと、外側循環ファンモジュールと、カバープレートとを含む。ケーシングは、複数のプレートを含み、プレートにより、収容空間が囲まれて形成され、ケーシングの収容空間の底部側に取付口が形成される。収容空間の側面には、外側出口が設けられる。放熱コアは、収容空間内に設置されて取付口の上方に位置する。外側循環ファンモジュールは、取付口から収容空間に装入され、外側出口と取付口との間に位置する。カバープレートは、複数の開孔を有し、取付口に被せられるとともにケーシングに結合される。外気は、複数の開孔から収容空間に流入した後、放熱コアを通過して放熱コアと熱交換が行われ、外側出口から流出する。外側循環ファンモジュールは、軸流ファン及びファンフレームを含み、ファンフレームによりケーシング内に固定される。カバープレートは、ファンフレームに固定されることでケーシングに結合される。
【０００９】
本発明の他の実施形態に係るキャビネットは、キャビネット体及び熱交換器を含む。キャビネット体の一方側には、開口が設けられる。熱交換器は、開口に取り付けられる。熱交換器は、ケーシングと、放熱コアと、外側循環ファンモジュールと、カバープレートとを含む。ケーシングは、複数のプレートを含み、プレートにより収容空間が囲まれて形成され、ケーシングの収容空間の底部側に取付口が形成される。収容空間の側面には、外側出口が設けられる。放熱コアは、収容空間内に設置されて取付口の上方に位置する。外側循環ファンモジュールは、取付口から収容空間に装入され、外側出口と取付口との間に位置する。カバープレートは、複数の開孔を有し、取付口に被せられるとともにケーシングに結合される。外気は、複数の開孔から収容空間に流入した後、放熱コアを通過して放熱コアと熱交換が行われ、外側出口から流出する。
【００１０】
本発明の別の実施形態に係る熱交換器の組立方法は、収容空間の底部側に取付口が設けられ、収容空間の側面に外側出口が設けられるケーシングを設置するステップ（１）と、放熱コアを収容空間（ケーシング）内に取り付けるとともに取付口の上方に配置させるステップ（２）と、取付口から外側循環ファンモジュールを収容空間内に斜めに装入するステップ（３）と、複数の開孔を有するカバープレートを取付口に被せるステップ（４）と、を含む。
【発明の効果】
【００１１】
従来の熱交換器における外側循環ファンの組立構造体では、取付口がケーシングの内側に開設される。本発明では、従来の熱交換器と異なり、取付口がケーシングの外側に設置され、循環ファンモジュールが取付口からケーシング内に装入され、カバープレートが取付口に被せられてケーシングに結合される。こうすることで、組立構造体を簡素化することができるほか、熱交換器の内側と外側を完全に隔離することもできる。そのため、内側への水漏れを抑制することができて、ケーシングの密閉性を向上させることができる。さらに、本発明の外側循環ファンモジュールを組み立てる場合、カバープレートはロック部材をケーシングの内部に隠すようにロック部材を遮蔽することができるため、熱交換器の外観全体の意匠性を向上させることができる。
【図面の簡単な説明】
【００１２】
【図１】本発明に係る熱交換器を一方側方向から見た場合を示す斜視図である。
【図２】本発明に係る熱交換器を他方側方向から見た場合を示す斜視図である。
【図３】本発明の熱交換器における内部気流の流れを示す図である。
【図４】本発明の熱交換器の分解図である。
【図５】本発明の一実施形態の外側循環ファンモジュールがファンフレームに固定された状態を示す外観斜視図である。
【図６】本発明の一実施形態のカバープレート及びロック部材を組み立てる前の状態を示す図である。
【図７】本発明の一実施形態のカバープレート及びロック部材を組み立てた状態を示す外観斜視図である。
【図８】本発明の外側循環ファンモジュールがケーシングに装入された状態を示す断面図である。
【図９】本発明の一実施形態のカバープレートがケーシングに嵌合される前の状態を示す斜視図である。
【図１０】本発明の一実施形態のカバープレートがケーシングに嵌合された状態を示す断面図である。
【図１１】本発明の一実施形態のカバープレートが工具で係合される前の状態を示す外観斜視図である。
【図１２】本発明の一実施形態のカバープレートが工具で係合された状態を示す断面図である。
【図１３】本発明の一実施形態の熱交換器がキャビネットに嵌合された状態を示す外観斜視図である。
【図１４】本発明の熱交換器の組立方法を示すフローチャートである。
【発明を実施するための形態】
【００１３】
以下、本発明の技術内容及び詳細な説明について、図面を参照しつつ説明する。ただし、図面は参照及び説明するためのものであるが、本発明を限定するためのものではないことを理解されたい。
【００１４】
本発明は、熱交換器１を提供する。図１は、本発明の一実施形態に係る熱交換器を一方側方向から見た場合を示す斜視図である。図２は、本発明の一実施形態に係る熱交換器を他方側方向から見た場合を示す斜視図である。図３は、本発明の熱交換器における内部気流の流れを示す図である。図１乃至図３に示すように、熱交換器１は、ケーシング１０、放熱コア２０、外側循環ファンモジュール３０及びカバープレート４０を含む。ケーシング１０は、ケーシング１０の底部に設置される取付口１１１を有する。放熱コア２０及び外側循環ファンモジュール３０は、ケーシング１０内に配置される。カバープレート４０は、取付口１１１に被せられるとともに、ケーシング１０に結合される。
【００１５】
図１及び図２に示すように、ケーシング１０は、複数のプレート１１を含んでもよい。これらのプレート１１により、収容空間１１０が囲まれて形成される。また、取付口１１１は、ケーシング１０の収容空間１１０の底部側に設置される。なお、収容空間１１０の側面には、外側出口１１２が形成される。
【００１６】
また、ケーシング１０は、ケーシング（図示せず）の内部に面する内側部１０１と、ケーシングの外部に面する外側部１０２とを有する。ケーシング１０の内側部１０１には、内側入口１１３及び内側出口１１４が設けられる。ケーシング１０の外側部１０２には、外側出口１１２及び取付口１１１が設けられる。
【００１７】
放熱コア２０は、熱交換器や熱回収設備などの装置の１つの芯体である。また、放熱コア２０は、外部の冷風及び内部の熱風が通過して熱交換や熱回収を行うためのものである。本発明の一実施形態において、放熱コア２０は、収容空間１１０内に設置され、取付口１１１の上方に位置する。
【００１８】
なお、外側循環ファンモジュール３０は、取付口１１１から収容空間１１０内に装入され、外側循環ファンモジュール３０は、外側出口１１２と取付口１１１との間に位置することを注意されるべきである。また、カバープレート４０は、外側出口のような複数の開孔４１を有する。カバープレート４０は、ケーシング１０の取付口１１１に対応する。本発明の一実施形態において、各開孔４１は、ハニカム孔であるが、これに限定されない。
【００１９】
本実施形態において、熱交換器１は、内側循環ファンモジュール５０をさらに含む。内側循環ファンモジュール５０は、ケーシング１０内に設置されるとともに、外側循環ファンモジュール３０に対応して収容空間１１０の頂部に位置する。また、放熱コア２０は、外側循環ファンモジュール３０と内側循環ファンモジュール５０との間に固定される。
【００２０】
好ましくは、外側循環ファンモジュール３０及び内側循環ファンモジュール５０は、いずれも軸流ファンである。
【００２１】
図３に示すように、本発明の熱交換器１は、キャビネット３に設置され、使用時に内部と外部の空気の熱交換が行われる。ケーシング１０の内側部１０１は、内部に面する。ケーシング１０の外側部１０２は、外部に面する。ケーシング１０の内側部１０１には、内側入口１１３及び内側出口１１４が設けられる。ケーシング１０の外側部１０２には、外側出口１１２及び取付口１１１が設けられる。好ましくは、内側入口１１３が内側循環ファンモジュール５０の隣接箇所に設置され、取付口１１１が外側循環ファンモジュール３０の隣接箇所に設置される。また、内側出口１１４及び外側出口１１２は、放熱コア２０に設置される。第一空気通路１０１０は、内側入口１１３から延びて内側循環ファンモジュール５０及び放熱コア２０を経て内側出口１１４に向かう。これにより、第一空気通路１０１０は、ケーシング１０の内部に連通することができる。第二空気通路１０２０は、取付口１１１の複数の開孔４１から延びて外側循環ファンモジュール３０及び放熱コア２０を経て外側出口１１２に向かう。これにより、第二空気通路１０２０は、ケーシング１０の外部に連通することができる。また、第一空気通路１０１０が内側に設置される一方、第二空気通路１０２０が外側に設置される。このため、第一空気通路１０１０と第二空気通路１０２０とは、熱交換器１において完全に隔離される。
【００２２】
第一空気通路１０１０において、内気（放熱コアよりも温度が高い暖気と想定する）は、内側循環ファンモジュール５０からの気流によって内側入口１１３から収容空間１１０に流入した後、放熱コア２０を通過する。その際、内気の熱は、放熱コア２０へ伝導される。最後に、冷却された内気は、内側出口１１４から流出する。
【００２３】
第二空気通路１０２０において、外気（放熱コアよりも温度が低い冷気と想定する）は、外側循環ファンモジュール３０からの気流によって複数の開孔４１から収容空間１１０に流入した後、放熱コア２０を通過する。その際、放熱コア２０の熱は外気に伝導される。最後に、加熱された外気は、外側出口１１２から流出する。これにより、内部環境の熱は、熱交換器１によって外部へ伝導される。このため、第一空気通路１０１０及び第二空気通路１０２０は、それぞれ内部及び外部に設置されて熱交換が行われる。
【００２４】
図４は、本発明の一実施形態の外側循環ファンモジュールの分解図である。図４に示すように、本発明の一実施形態の外側循環ファンモジュール３０は、ファンフレーム６０をさらに含む。外側循環ファンモジュール３０がファンフレーム６０によりケーシング１０に固定された後、カバープレート４０をファンフレーム６０に対応して固定することでケーシング１０に結合するようになる。ファンフレーム６０及びカバープレート４０の結合の詳細については、後述する。
【００２５】
図５は、本発明の一実施形態の軸流ファン及びファンフレームを含む外側循環ファンモジュールを示す外観斜視図である。本発明の一実施形態において、ファンフレーム６０は、少なくとも１つの翼板６１を有する。好ましくは、ファンフレーム６０は、一対の翼板６１を有する。この一対の翼板６１は、ファンフレーム６０の両側の縁部に対応して設置される。なお、各翼板６１は、カバープレート４０に向かう方向に、ファンフレーム６０から垂直に延在して設けられる。翼板６１はＬ字状である。翼板６１のカバープレート４０に密着する平面には、ロック孔６１０が設けられる。
【００２６】
図６は、本発明の一実施形態のカバープレート及びロック部材を組み立てる前の状態を示す図である。図７は、本発明の一実施形態のカバープレート及びロック部材を組み立てた状態を示す外観斜視図である。図６に示すように、本実施形態において、カバープレート４０は、ファンフレーム６０に対応して固定片４２を有する。好ましくは、カバープレート４０は、一対の固定片４２を有する。この一対の固定片４２には、貫通孔４２０がそれぞれ設けられる。固定片４２は、ファンフレーム６０に向かう方向に、カバープレート４０から垂直に延在して設けられる。固定片４２の断面は、Ｌ字状である。なお、貫通孔４２０は、固定片４２の翼板６１と平行になる平面に位置する。また、本発明の熱交換器１は、少なくとも１つのロック部材７０及びガスケット７１をさらに含む。好ましくは、熱交換器１は、一対のロック部材７０及び一対のガスケット７１を含む。各ロック部材７０は、固定片４２の一方側から貫通孔４２０に挿入され、固定片４２の他方側においてガスケット７１に挿通される。詳細には、図７に示すように、各ロック部材７０、例えば、固定ネジは、ガスケット７１に挿通されて結合されることで、固定片４２に固定される。
【００２７】
図８は、本発明の外側循環ファンモジュールがケーシングに装入された状態を示す断面である。図８に示すように、本発明の外側循環ファンが組立てられる場合、まず、軸流ファンをファンフレーム６０に固定する。次に、外側循環ファンモジュール３０を、ケーシング１０内に斜めに装入する。こうすることで、ファンフレーム６０をケーシング１０内に固定するのに有利である。
【００２８】
図９は、本発明の一実施形態のカバープレートがケーシングに嵌合される前の状態を示す斜視図である。図１０は、本発明の一実施形態のカバープレートがケーシングに嵌合された状態を示す断面図である。図９に示すように、本発明の一実施形態においては、ファンフレーム６０をケーシング１０に固定した後、取付口１１１に対してカバープレート４０を被せる。
【００２９】
図１０に示すように、取付口１１１にカバープレート４０を被せる場合、固定片４２においてガスケット７１が結合された一対のロック部材７０は、それぞれファンフレーム６０の両側に位置する翼板６１のロック孔６１０の位置に対応する。
【００３０】
図１１は、本発明の一実施形態のカバープレートが工具で係合される前の状態を示す外観斜視図である。図１２は、本発明の一実施形態のカバープレートが工具で係合された状態を示す断面図である。図１１に示すように、本発明では、工具２（例えば、スクリュードライバー）を用いてカバープレート４０を固定する。本実施形態において、カバープレート４０の各開孔４１には、工具２が挿通可能である。工具２はロック孔６１０に位置合わせされた後、ロック部材７０に対応する開孔４１を貫通して、ロック部材７０のヘッド部に挿入されて回転することでロック孔６１０内にロックされる。
【００３１】
図１２に示すように、固定操作後、固定片４２は翼板６１に固定される。これにより、カバープレート４０をファンフレーム６０に固定させてケーシング１０に結合する。また、一対のガスケット７１は、それぞれファンフレーム６０の翼板６１とカバープレート４０の固定片４２との間に挟持される。ガスケット７１の設置によって、固定片４２の貫通孔４２０からロック部材７０の離脱を防止することができるほか、翼板６１と固定片４２との固定効果に優れることを理解されたい。
【００３２】
外側循環ファンモジュール３０は、外側部１０２且つ取付口１１１から取り付けられる。このため、内側部１０１に設置される第二空気通路１０２０が開口を有しない。これにより、第一空気通路１０１０と第二空気通路１０２０とは、完全に隔離されることができる。したがって、内側部１０１へ水漏れの発生がなくなることで、ケーシング１０の密閉性を向上させることができる。さらに、本発明の外側循環ファンモジュール３０が取り付けられた場合、カバープレート４０は、ファンフレーム６０に直接に固定されることで、組立構造体を簡素化することができる。また、ロック部材７０は、カバープレート４０によりケーシング１０の内部に隠すことができるため、本発明の熱交換器１の外観全体の意匠性を向上させることができる。
【００３３】
図１３は、本発明の一実施形態の熱交換器がキャビネットに嵌合された状態を示す外観斜視図である。図１３に示すように、本発明の熱交換器１は、キャビネット３、例えば、通信用キャビネットに適用されてもよい。キャビネット３は、キャビネット体８０及び熱交換器１を含む。実使用上においては、キャビネット体８０の側壁には、開口８１が設けられる。熱交換器１は、キャビネット体８０の側壁に取り付けられる。なお、熱交換器１の開口８１に対応する内側部１０１は、キャビネット体８０の内部に面する。熱交換器１の外側部１０２は、キャビネット体８０の側壁に露出する。そのため、外側出口１１２及びカバープレート４０（図示せず）は、キャビネット体８０の外部に突設される。これにより、熱交換器１は、キャビネット体８０に対して熱交換を行うことができる。
【００３４】
図１４は、本発明の熱交換器の組立方法を示すフローチャートである。本発明の熱交換器の組立方法は、以下のステップを含む。まず、ステップ（１）では、ケーシング１０を提供する。ケーシング１０の、囲まれて形成された収容空間１１０の底部側には、取付口１１１を設け、収容空間１１０の側面には、外側出口１１２を設ける。次に、ステップ（２）では、放熱コア２０を収容空間１１０内に取り付けるとともに取付口１１１の上方に配置させる。次に、ステップ（３）では、外側循環ファンモジュール３０を取付口１１１から収容空間１１０内に装入する。次に、ステップ（４）では、カバープレート４０をケーシング１０に結合することで取付口１１１に被せる。一実施形態において、ステップ（３）は、外側循環ファンモジュール３０を取付口１１１から斜めに取り付けるステップ（３−１）をさらに含む。なお、外側循環ファンモジュール３０は、ファンフレーム６０を有する。ファンフレーム６０は、カバープレート４０に向かう方向に、ファンフレーム６０から垂直に延在して設けられる少なくとも１つの翼板６１を有する。各翼板６１はＬ字状であり、その平面にロック孔６１０が設けられる。ステップ（３）は、ステップ（３−１）の後、外側循環ファンモジュール３０を斜めに取り付けてから水平になるように回転させ、ケーシング１０内においてファンフレーム６０を放熱コア２０の下方に固定させるステップ（３−２）をさらに含む。
【００３５】
ステップ（４）では、詳細には、カバープレート４０は、ファンフレーム６０に対応して複数の開孔４１及び少なくとも１つの固定片４２を有する。好ましくは、固定片４２は貫通孔４２０を有する。固定片４２は、ファンフレーム６０に向かう方向に、カバープレート４０から垂直に延在して設けられる。固定片４２の断面はＬ字状である。また、貫通孔４２０は平面に位置する。ロック部材７０は、貫通孔４２０に挿通されるとともにガスケット７１に結合される。
【００３６】
上記の組立方法は、工具２を開孔４１に貫通させて収容空間１１０に突出させ、カバープレート４０をケーシング１０にロックさせるステップ（５）をさらに含む。詳細には、工具２、例えば、スクリュードライバーの先端をカバープレート４０の開孔４１に貫通させて収容空間１１０に突出することで、ロック部材７０をファンフレーム６０のロック孔６１０内にロックする。以上のステップにより、取付を実現することができる。
【００３７】
以上、本発明の好ましい実施形態を挙げて説明したが、これは本発明の実施形態に過ぎない。説明した実施形態は、本発明の範囲を限定するものではないことが理解されたい。当業者であれば本発明の技術的思想及び概念に含まれる各種の変更や置換は、本発明の保護を求める範囲内に属するものである。
【符号の説明】
【００３８】
１     熱交換器
２     スクリュードライバー
３            キャビネット
１０          ケーシング
１０１        内側部
１０２        外側部
１１          プレート
１１０        収容空間
１１１        取付口
１１２        外側出口
１１３        内側入口
１１４        内側出口
２０          放熱コア
３０          外側循環ファンモジュール
４０          カバープレート
４１          開孔
４２          固定片
４２０        貫通孔
５０          内側循環ファンモジュール
６０          ファンフレーム
６１          翼板
６１０        ロック孔
７０          ロック部材
７１          ガスケット
８０          キャビネット体
８１          開口
【図１】
0006280250.tif 000002
【図２】
0006280250.tif 000003
【図３】
0006280250.tif 000004
【図４】
0006280250.tif 000005
【図５】
0006280250.tif 000006
【図６】
0006280250.tif 000007
【図７】
0006280250.tif 000008
【図８】
0006280250.tif 000009
【図９】
0006280250.tif 000010
【図１０】
0006280250.tif 000011
【図１１】
0006280250.tif 000012
【図１２】
0006280250.tif 000013
【図１３】
0006280250.tif 000014
【図１４】
0006280250.tif 000015